(57)【特許請求の範囲】
【請求項１】
少なくとも一方がロールであり、他方がロールに対して圧接する圧接部材で、且つ、少なくとも一方に熱源を備え画像形成装置本体に対して引き出し可能に設けられた定着装置において使用される用紙剥離装置であって、前記ロールの表面に接触するロール用剥離爪と前記圧接部材の表面に接触する圧接部材用剥離爪とを備えた用紙剥離装置において、
前記ロール及び前記圧接部材を収納するフレームに対して回動可能に設けられ、前記ロール用剥離爪を前記ロールに接触させる位置と前記ロールから退避させる位置を取り得る第１の支持部材と、
前記第１の支持部材の遊端側に回動自在に設けられ、前記ロール用剥離爪を支持する第２の支持部材とを備え、
前記第１の支持部材を前記ロール用剥離爪の退避位置に回動させた時、前記第２の支持部材が自重によって回動して前記ロール用剥離爪の先端が前記第１の支持部材側に向くことを特徴とする用紙剥離装置。
【請求項２】
前記第２の支持部材の一部が、前記ロールと前記圧接部材の間を通過した用紙を案内する一対の用紙案内板のうちの上側用紙案内板を構成していることを特徴とする請求項１に記載の用紙剥離装置。
【請求項３】
前記圧接部材用剥離爪と前記一対の用紙案内板のうちの下側用紙案内板が、前記第２の支持部材と一体になって移動することを特徴とする請求項２に記載の用紙剥離装置。
【請求項４】
前記フレームに対して回動可能に設けられ、前記圧接部材用剥離爪を前記圧接部材から退避させる第３の支持部材と、この第３の支持部材に回動自在に設けられ、前記圧接部材用剥離爪を支持する第４の支持部材を備え、
前記第３の支持部材を前記圧接部材用剥離爪の退避位置に回動させた時、前記第４の支持部材が自重によって回動して前記圧接部材用剥離爪の先端が前記第３の支持部材側に向くことを特徴とする請求項１に記載の用紙剥離装置。
【請求項５】
前記第４の支持部材には、前記第３の支持部材を通常位置側に回動する時に、前記フレームの一部に衝突して前記第４の支持部材の向きを変えるストッパが形成されていることを特徴とする請求項４に記載の用紙剥離装置。
【請求項６】
前記第２の支持部材を前記第１の支持部材の遊端側に回動自在に支持する回転支持軸には、前記第２の支持部材に対して前記ロール用剥離爪の先端が前記第１の支持部材側に向く方向の力を付勢するコイルバネが設けられていることを特徴とする請求項１に記載の用紙剥離装置。
【発明の詳細な説明】
【０００１】
【発明の属する技術分野】
本発明は、電子写真複写機等の画像形成装置において、複写用紙上に転写されたトナー画像を熱或いは圧力によって定着する少なくとも一方がロールの定着装置から用紙を剥離する用紙剥離装置に関する。
【０００２】
【従来の技術】
ロール式定着装置においては、ロールと加圧ロールとからなる一対の定着ロールの間のニップ部分を通過する用紙は、トナーの溶融時に生ずる粘着性等の理由によつて定着ロールに巻き付く傾向がある。この用紙の巻き付きを防止するため、従来から定着ロールの表面に対して接触する剥離爪を設け、剥離爪の先端で用紙を定着ロールの表面から剥離することが行われている。また、定着装置において、ジャム（紙詰まり）が発生したときに、ジャム除去を容易に行えるように、剥離爪を定着ロールの表面から退避できるようにした機構が採用されている。
【０００３】
【発明が解決しようとする課題】
しかしながら、複写機の定着器収容部周辺には、前記剥離爪を前記定着ロールから十分に離隔するだけのスペースを有しないのが一般的であるため、ジャム除去に際して、前記剥離爪先端にオペレータの手が触つて、手を負傷するおそれがあった。
【０００４】
そこで、ジャム紙の除去を行う際に、オペレータの負傷事故を防止するために、剥離爪を定着ロールの表面から退避させたときに、剥離爪の先端を上方に向けて、オペレータの手が剥離爪の先端に直接接触しないようにした用紙剥離装置が特公平４−４３２６８号公報に開示されている。
【０００５】
一方、ジャム紙の除去、複写機の修理保守を容易にするために、定着装置、或いは、定着装置を含む画像形成装置がユニット化され、この定着装置を含むユニットが複写機本体に対して前後方向に引き出し可能に設けた複写機が知られている。
【０００６】
この定着装置を含むユニットが複写機本体に対して引き出し可能に設けられた複写機においては、このユニットを複写機本体から引き出したときに、定着装置の上面が外部に対して露出する。このため、この形式の定着装置に対して上記公報に記載の用紙剥離装置を適用した場合には、剥離爪を定着ロールの表面から退避させたときに、剥離爪の先端が上方に向くために、定着装置を含むユニットを本体から引き出してオペレータが保守点検を行う際に非常に危険である。
【０００７】
このような危険を防止するために、剥離爪の先端を覆うようなカバー部材を設けることも考えらるが、コストが上昇するとともに、定着装置を含むユニットが大型化するという問題が生じる。
【０００８】
また、上記公報に記載の用紙剥離装置においては、加熱ロールに対する剥離爪しか退避できないので、加圧ロール側に用紙が巻き付いたような場合には、詰まった用紙を取り除くのが困難であるという問題がある。
【０００９】
そこで本発明は、定着装置を含むユニットが複写機本体に対して引き出し可能に設けられた複写機において、剥離爪を定着ロールの表面から退避させたときの、オペレータに対する安全性を確保することを課題とする。また、本発明は、加圧ロール側のジャムに対しても容易に対応できるようにすることを課題とする。
【００１０】
【課題を解決するための手段】
本発明は、少なくとも一方がロールであり、他方がロールに対して圧接する圧接部材で、且つ、少なくとも一方に熱源を備え画像形成装置本体に対して引き出し可能に設けられた定着装置において使用される用紙剥離装置であって、前記ロールの表面に接触するロール用剥離爪と前記圧接部材の表面に接触する圧接部材用剥離爪とを備えた用紙剥離装置において、前記ロール及び前記圧接部材を収納するフレームに対して回動可能に設けられ、前記ロール用剥離爪を前記ロールに接触させる位置と前記ロールから退避させる位置を取り得る第１の支持部材と、前記第１の支持部材の遊端側に回動自在に設けられ、前記ロール用剥離爪を支持する第２の支持部材とを備え、前記第１の支持部材を前記ロール用剥離爪の退避位置に回動させた時、前記第２の支持部材が自重によって回動して前記ロール用剥離爪の先端が前記第１の支持部材側に向くことを特徴とする。
【００１１】
また本発明は、前記第２の支持部材の一部が、前記ロールと前記圧接部材の間を通過した用紙を案内する一対の用紙案内板のうちの上側用紙案内板を構成していることを特徴とする。
【００１２】
また本発明は、前記圧接部材用剥離爪と前記一対の用紙案内板のうちの下側用紙案内板が、前記第２の支持部材と一体になって移動することを特徴とする。
【００１３】
また本発明は、前記フレームに対して回動可能に設けられ、前記圧接部材用剥離爪を前記圧接部材から退避させる第３の支持部材と、この第３の支持部材に回動自在に設けられ、前記圧接部材用剥離爪を支持する第４の支持部材を備え、前記第３の支持部材を前記圧接部材用剥離爪の退避位置に回動させた時、前記第４の支持部材が自重によって回動して前記圧接部材用剥離爪の先端が前記第３の支持部材側に向くことを特徴とする。
【００１４】
また本発明は、前記第４の支持部材には、前記第３の支持部材を通常位置側に回動する時に、前記フレームの一部に衝突して前記第４の支持部材の向きを変えるストッパが形成されていることを特徴とする。さらに本発明は、前記第２の支持部材を前記第１の支持部材の遊端側に回動自在に支持する回転支持軸には、前記第２の支持部材に対して前記ロール用剥離爪の先端が前記第１の支持部材側に向く方向の力を付勢するコイルバネが設けられていることを特徴とする。
【００１５】
【発明の実施の形態】
以下、図面に示す実施例に基づいて、本発明の用紙剥離装置の構成を詳細に脱明する。
【００１６】
図１は、本発明の用紙剥離装置が適用される複写機の原理的構成を示す概略断面図である。複写機の上部には、プラテンガラス（図示せず）上に載置され、背面がプラテンカバー１で覆われた原稿（図示せず）の画像を読み取って電気的な画像信号に変換する画像読取装置２が配置されている。画像読取装置２からの画像信号は露光装置３に供給され、露光装置３からは画像信号により変調されたレーザビームが感光体ドラム４に照射される。感光体ドラム４の表面は、帯電コロトロン５により一様に帯電されているので、露光により感光体ドラム４の表面に静電潜像が形成される。この静電潜像は、現像装置６により現像される。本実施例においては、現像装置６としてロータリー現像器を使用しており、感光体ドラム４上に順次形成される四つの静電潜像を、イエロー、マゼンタ、シアン、ブラックの４色のカラートナーで順次現像して、感光体ドラム４上に、イエロー、マゼンタ、シアン、ブラックのカラートナー像を形成するようにしている。感光体ドラム４に対しては転写ドラム７が圧接状態で設けられている。
【００１７】
一方、給紙トレイ８ａ，８ｂ，８ｃ或いは手差しトレイ８ｄのいずれかから送り出された用紙は、帯電コロトロン９により転写ドラム７の表面に静電的に吸着される。転写ドラム７の回転に従って用紙が感光体ドラム４と転写ドラム７のニップ部を通過すると、転写コロトロン１０により感光体ドラム４上のカラートナー像が転写ドラム７上の用紙に転写される。第１色（たとえば、イエロー）のトナー像が転写された用紙は、転写ドラム７の回転に連れて除電コロトロン１１を通過し、転写ドラム面の電荷が消去された後、再度感光体ドラム４と転写ドラム７のニップ部に送られ、第２色（たとえば、マゼンタ）のカラートナー像が転写ドラム７上の用紙に転写される。以下同様に、転写ドラム７の１回転ごとに第３色（たとえば、シアン）、第４色（たとえば、ブラック）のカラートナー像が転写ドラム７上の用紙に転写され、用紙上に４色のトナー像が多重転写され、フルカラーのトナー像が形成される。
【００１８】
フルカラーのトナー像が形成された用紙は、剥離コロトロン１２により転写ドラム７の表面から剥離され、定着装置１３の加熱ロール１４と加圧ロール１５との間のニップ部を通過して定着処理を受けた後に、コピー受け１６に排出される。
【００１９】
図１に示す複写機において、転写ドラム７及びその周辺の部品が、転写ユニット１７として一体的に構成されており、定着装置１３の加熱ロール１４と加圧ロール１５及びその周辺の部品が定着ユニット１８として一体的に構成されている。そして、転写ユニット１７と定着ユニット１８は、複写機本体に対して前後方向に引き出し可能となっている。
【００２０】
図２は、複写機本体から転写ユニット１７と定着ユニット１８を引き出した状態を示す斜視図である。定着ユニット１８は、転写ユニット１７に取り付けた状態で転写ユニット１７と一体的に構成されており、転写ユニット１７の下部と複写機本体との間には、転写ユニット１７と定着ユニット１８を、複写機本体に対して前後方向に引き出し可能とするための伸縮レール１９が設けられている。
【００２１】
転写ユニット１７と定着ユニット１８は、複写機本体の前面に開閉自在に設けられたフロントカバー２０を開き、レバー２１を所定方向に回動して転写ユニット１７及び定着ユニット１８と複写機本体との間のロック状態を解除し、レバー２１を手前に引くことにより、複写機本体から手前に引き出すことができる。
【００２２】
以下、上述した定着ユニット１８において使用される用紙剥離装置のいくつかの実施例について説明する。
【００２３】
［実施例１］
図３は、本発明の用紙剥離装置の実施例１を示す概略断面図である。定着ユニット１８のハウジングを構成するフレーム２２の内部には、加熱ロール１４と加圧ロール１５が互いに圧接状態に設けられている。定着ユニット１８の用紙排出方向の側面には、板状の第１の支持部材２３が定着ユニット１８に対して開閉自在に設けられている。第１の支持部材２３の基端部は、回転支持軸２４を介してフレーム２２の用紙排出側の上端部に回転自在に支持されている。また、第１の支持部材２３の遊端部に形成された支持板３９には、第２の支持部材２５が回転支持軸２６を介して回転自在に支持されている。第２の支持部材２５の一方の端部２７ａはＬ字状に折り曲げられており、他方の端部２７ｂにはＬ字状の剥離爪支持アーム２８が、回転支持軸２９を介して取り付けられている。剥離爪支持アーム２８の一方の端部には加熱ロール１４の表面に接触する加熱ロール用剥離爪３０が取り付けられ、他方の端部と回転支持軸２６と第２の支持部材２５に形成されたフック３１の間には引っ張りバネ３２が張架されている。また、第２の支持部材２５には、剥離爪支持アーム２８の他方の端部を覆うように板バネ３３が設けられている。また、第２の支持部材２５の回転支持軸２６で支持されている支持板３４の一部から、紙面に対して垂直方向に突出するストッパ３５が形成されている。更に、回転支持軸２６の近傍において、紙面に対して垂直方向に一定の間隔を空けて配置された一対のフレーム２２間に連結するタイバー３６が設けられている。また、加圧ロール１５に対しても回転支持軸３７を回動中心として加圧ロール用剥離爪３８が設けられている。
【００２４】
前記第２の支持部材２５の加熱ロール用剥離爪３０側の端部には一体的に上側用紙案内板４０が形成され、また、加圧ロール１５側には下側用紙案内板４１がフレーム２２に対して固定された状態で設けられる。
【００２５】
次に、図３に示す本発明の用紙剥離装置の実施例１の動作について説明する。通常動作時においては、第１の支持部材２３及び第２の支持部材２５は、符号Ａで示す通常位置にあり、加熱ロール用剥離爪３０の先端は加熱ロール１４の表面に接触した状態である。また、加圧ロール用剥離爪３８の先端は常時加圧ロール１５の表面に接触した状態である。したがって、加熱ロール１４と加圧ロール１５との間のニップ部を通過した用紙が、加熱ロール１４或いは加圧ロール１５の表面に貼りついた場合でも、貼りつきが非常に強固でない限りは、加熱ロール用剥離爪３０或いは加圧ロール用剥離爪３８により剥離することができる。加熱ロール１４と加圧ロール１５との間のニップ部を通過した用紙は、上側用紙案内板４０と下側用紙案内板４１により案内されて、用紙受け１６に排出される。
【００２６】
次に、何らかの原因で紙詰まりが生じた場合には、第１の支持部材２３を回転支持軸２４を中心として、図において時計方向に回動して、符号Ｂで示す退避位置まで回転させる。なお、図において、退避位置にある各部材の符号にはダッシュを付している。このとき第２の支持部材２５は、回転支持軸２６を中心に自重によつて反時計方向に回転し、第２の支持部材２５に形成されたストッパ３５が、第１の支持部材２３の遊端に形成された支持板３９に衝突して、第２の支持部材２５の姿勢が決定される。これにより、加熱ロール用剥離爪３０の先端は、第１の支持部材２３側、すなわち、下側を向くことになる。したがって、オペレータが、詰まった用紙を取り除くために、手を定着装置に近づけた場合でも、手が加熱ロール用剥離爪３０の先端に触れて怪我をすることがない。
【００２７】
次に、詰まった用紙を除去した後に、第１の支持部材２３を回転支持軸２４を中心として反時計方向に回転してもとの位置に戻すが、このとき、第２の支持部材２５に設けられた板バネ３３がタイバー３６と接触して、加熱ロール用剥離爪３０を下方に押し下げる。これにより、加熱ロール用剥離爪３０の先端が加熱ロール１４の表面に対して直角に近い角度で衝突することがなく、加熱ロール１４の表面に傷が付くのを防止することができる。
【００２８】
［実施例２］
図４は、本発明の用紙剥離装置の実施例２を示す概略断面図である。なお、実施例１と対応する部材には同一符号を付している。
【００２９】
上記した実施例１においては、第１の支持部材２３を回転支持軸２４を中心として退避位置まで回転させたときに、第２の支持部材２５を自重によつて回転させているが、実施例２においては、回転支持軸２６にコイルバネ４２を設けて、第２の支持部材２５に対して反時計方向、すなわち、加熱ロール用剥離爪３０の先端が第１の支持部材２３側に向く方向の力を付勢している。これにより、第２の支持部材２５は、退避位置にあるときに、自重だけでなく、コイルバネ４２の力を受けるので、加熱ロール用剥離爪３０の先端を確実に第１の支持部材２３側に向けることができる。但し、コイルバネ４２の強さは、第１の支持部材２３が通常位置に戻るときに、第２の支持部材２５に自重によって押し戻される程度の強さに設定されている。
【００３０】
［実施例３］
図５は、本発明の用紙剥離装置の実施例３を示す概略断面図である。なお、実施例１と対応する部材には同一符号を付している。
【００３１】
実施例３においては、第２の支持部材２５の加熱ロール用剥離爪３０側の端部が延長されて延長部４３が形成され、この延長部４３の先端に、回転支持軸３７を回動中心として加圧ロール用剥離爪３８が設けられている。
【００３２】
通常状態では、第１の支持部材、第２の支持部材、加熱ロール１４用の剥離爪、加圧ロール１５用の剥離爪は、それぞれ符号２３，２５，３０，３８で示される位置にあるが、紙詰まり時には、第１の支持部材２３を回転支持軸２４を中心として退避位置まで回転させる。この時、第２の支持部材２５は、回転支持軸２６を中心に自重によつて回転し、第２の支持部材２５に形成されたストッパ３５が、第１の支持部材２３の遊端に形成された支持板３９に衝突して、第２の支持部材２５が停止する。
【００３３】
実施例３においては、加圧ロール１５用の加圧ロール用剥離爪３８も加熱ロール１４用の加熱ロール用剥離爪３０と一緒に退避するので、加圧ロール１５側で紙詰まりが発生した場合でも容易に取り除くことができる。
【００３４】
［実施例４］
図６は、本発明の用紙剥離装置の実施例４を示す概略断面図である。なお、実施例１と対応する部材には同一符号を付している。
【００３５】
実施例４における加熱ロール１４用の加熱ロール用剥離爪３０の退避機構は、実施例１に示されたものと同一のものである。
【００３６】
実施例４においては、フレーム２２の用紙排出側の下端部に、第３の支持部材４４の基端部が、回転支持軸４５を介して回転自在に支持されている。第３の支持部材４４と一体になったレバー部４６の先端には、第４の支持部材４７の基端部が、回転支持軸４８を介して回転自在に支持されている。また、第４の支持部材４７と一体にレバー部４９と下側用紙案内板５０が形成されている。下側用紙案内板５０の用紙搬送方向下流側の端部には、紙面に対して直交する方向に突出するストッパ５１が形成されている。また、第４の支持部材４７に一体的に形成された支持板５２に、回転支持軸３７を介して加圧ロール用剥離爪３８が回動自在に支持されている。
【００３７】
通常状態においては、加熱ロール用剥離爪３０及び加圧ロール用剥離爪３８は、加熱ロール１４及び加圧ロール１５に対して接触状態にあり、加熱ロール１４及び加圧ロール１５から用紙を剥離する。
【００３８】
紙詰まりが発生した場合には、オペレータは、支持部材４４と一体になったレバー部４６を手で持って、図７に示すように、回転支持軸４５を中心にして退避位置まで回転させる。この時、第４の支持部材４７は、回転支持軸４８を中心に自重によって、図において時計方向に回転するので、図７に符号Ｃで示す姿勢となり、加圧ロール１５用の剥離爪５４の先端は、定着ユニット１８の内側を向く。したがって、加圧ロール１５で紙詰まりが生じた場合でも、詰まった用紙を容易に除去することができる。また、剥離爪５４の先端にオペレータの手が触ることがないので安全である。
【００３９】
次に、オペレータは、詰まった用紙を除去した後に、第４の支持部材４７と一体に形成されたレバー部４９を手で持って、回転支持軸４５を中心にして通常の位置まで戻すが、第４の支持部材４７に設けられたストッパ５１が、図７に符号Ｄで示すように、フレーム２２に衝突し、これ以降は、第４の支持部材４７は、ストッパ５１とフレーム２２との接触位置を回動中心として、反時計方向に回転する。したがって、剥離爪５４の先端の方向は右下方向から右上方向に変化し、図６に示すように加圧ロール１５の面に沿った状態で加圧ロール１５の表面に接触する。これにより、剥離爪５４の先端が加圧ロール１５の表面に対して直角に近い角度で衝突することがなく、加圧ロール１５の表面に傷が付くのを防止することができる。
【００４０】
なお、上述した実施例においては、定着ユニット１８が、転写ユニット１７に取り付けた状態で転写ユニット１７と一体的に構成されており、定着ユニット１８と転写ユニット１７が同時に引き出されるようになっているが、定着ユニットと転写ユニット１７を独立に引き出し可能とした装置、或いは、定着ユニット１８のみを引き出し可能とした装置に対しても本発明を適用することができる。
【００４１】
【発明の効果】
本発明の用紙剥離装置によれば、剥離爪を退避位置に移動させた時に、剥離爪の先端が上を向くことがないので、定着装置を含むユニットが画像形成装置本体から引き出し可能とされた装置においても、詰まった紙の用紙の除去時にオペレータの手が剥離爪の先端に触れることがなく、オペレータの安全が確保できる。また、加圧ロールの紙詰まりも容易に除去することができる。
【図面の簡単な説明】
【図１】本発明の用紙剥離装置が適用される複写機の原理的構成を示す概略断面図である。
【図２】複写機本体から転写ユニットと定着ユニットを引き出した状態を示す斜視図である。
【図３】本発明の用紙剥離装置の実施例１を示す概略断面図である。
【図４】本発明の用紙剥離装置の実施例２を示す概略断面図である。
【図５】本発明の用紙剥離装置の実施例４を示す概略断面図である。
【図６】本発明の用紙剥離装置の実施例５の通常状態を示す概略断面図である。
【図７】本発明の用紙剥離装置の実施例５の退避状態を示す概略断面図である。
【符号の説明】
１…プラテンカバー、２…画像読取装置、３…露光装置、４…感光体ドラム、５…帯電コロトロン、６…現像装置、７…転写ドラム、８ａ，８ｂ，８ｃ…給紙トレイ、９…帯電コロトロン、１０転写コロトロン…、１１…除電コロトロン、１２…剥離コロトロン、１３…定着装置、１４…加熱ロール、１５…加圧ロール、１６…コピー受け、１７…転写ユニット、１８…定着ユニット、１９…伸縮レール、２０…フロントカバー、２１…レバー、２２…フレーム、２３…第１の支持部材、２４…回転支持軸、２５…第２の支持部材、２６…回転支持軸、２７ａ，２７ｂ…端部、２８…剥離爪支持アーム、２９…回転支持軸、３０…剥離爪、３１…フック、３２…引っ張りバネ、３３…板バネ、３４…支持板、３５…ストッパ、３６…タイバー、３７…回転支持軸、３８…剥離爪、３９…支持板、４０…上側用紙案内板、４１…下側用紙案内板、４２…コイルバネ、４３…延長部、４４…第３の支持部材、４５…回転支持軸、４６…レバー部、４７…第４の支持部材、４８…回転支持軸、４９…レバー部、５０…下側用紙案内板、５１…ストッパ、５２…支持板
【図１】
0003560201.tif 000002
【図２】
0003560201.tif 000003
【図３】
0003560201.tif 000004
【図４】
0003560201.tif 000005
【図５】
0003560201.tif 000006
【図６】
0003560201.tif 000007
【図７】
0003560201.tif 000008